(57)【要約】【課題】従来の携帯電話機に設けられる１２個のハードキーに代わる１個のキーのみを用いて、数字、漢字（ひらがな）、英字等の文字入力に対するキーの小ささを解消して操作性を向上させる。【解決手段】本発明の携帯電話機１０において、文字入力の際、ディスプレイ３に従来のテンキーのような仮名五十音図の１０行５段の配列に対応した「あ」段から「わ」段の複数の文字段キーが表示され、入力キー１が１回押されることにより文字段キー及び文字キーが選択され、入力キー１がダブルクリックされて文字段キー及び文字キーが決定されることにより所望する文字が入力される。【選択図】図１
2009032218.tif 000002
【特許請求の範囲】
【請求項１】
従来の携帯電話機に設けられる１２個のハードキーに代わる前記ハードキーより大きさが大きい１個のキーと表示部とを有する携帯電話機の文字入力方法であって、
平仮名文字を入力する際、仮名五十音図の１０行５段の配列に対応した「あ」段から「わ」段までの文字段に対応する１２個の文字段キーが上記表示部に表示され、
この表示部に表示された１２個の文字段キーに対する３個づつの第１、第２、第３、第４のグループの文字段キーが上記１個のキーの押下毎に選択され、選択されたグループが上記１個のキーがダブルクリックされることにより当該３個の文字段キーが決定される第１の選択決定ステップと、
この第１の選択決定ステップで決定された３個の文字段キーに対する各文字段キーが上記１個のキーの押下毎に選択され、選択された文字段キーが上記１個のキーがダブルクリックされることにより決定される第２の選択決定ステップと、
この第２の選択決定ステップで決定された文字段キーに対応する５個の文字キーが上記表示部に表示され、前記文字キーが上記１個のキーの押下毎に選択され、選択された文字キーが上記１個のキーがダブルクリックされることにより当該文字キーが決定される第３の選択決定ステップと、
この第３の選択決定ステップで決定された文字キーに対応する文字が上記表示部に表示入力されることを特徴とする携帯電話機の文字入力方法。
【請求項２】
従来の携帯電話機に設けられる１２個のハードキーに代わる前記ハードキーより大きさが大きい１個のキーと表示部とを有する携帯電話機の文字入力方法であって、
英字を入力する際、全ての英字が１２個のグループに分けられて各グループに対応する１２個の英字グループキーが上記表示部に表示され、
この表示部に表示された１２個の英字グループキーに対する３個づつの第１、第２、第３、第４のグループの英字グループキーが上記１個のキー押下毎に選択され、選択されたグループの英字グループキーが上記１個のキーがダブルクリックされることにより決定される第１の選択決定ステップと、
この第１の選択決定ステップで決定された３個の英字グループキーを構成する各英字グループキーが上記１個のキー押下毎に選択され、選択された英字グループキーが上記１個のキーがダブルクリックされることにより決定される第２の選択決定ステップと、
この第２の選択決定ステップで決定された英字グループキーに対応する複数の英字キーが上記表示部に表示され、前記英字キーが上記１個のキーの押下毎に選択され、選択された英字キーが上記１個のキーがダブルクリックされることにより当該英字キーが決定される第３の選択決定ステップと、
この第３の選択決定ステップで決定された英字キーに対応する英字が上記表示部に表示入力されることを特徴とする携帯電話機の文字入力方法。
【請求項３】
従来の携帯電話機に設けられた決定ボタンとスクロールボタンと表示部とを有し、さらに従来の携帯電話機に設けられる１２個のハードキーに代わる前記ハードキーより大きさが大きい１個のキーを有する携帯電話機の文字入力方法であって、
平仮名文字を入力する際、仮名五十音図の１０行５段の配列に対応した「あ」段から「わ」段までの文字段に対応する１２個の文字段キーが上記表示部に表示され、
この表示部に表示された１２個の文字段キーに対する３個づつの第１、第２、第３、第４のグループの文字段キーが上記１個のキーの押下毎に選択され、選択されたグループが上記決定ボタンの押下により当該３個の文字段キーが決定される第１の選択決定ステップと、
この第１の選択決定ステップで決定された３個の文字段キーに対する各文字段キーが上記１個のキーの押下毎に選択され、選択された文字段キーが上記決定ボタンの押下により決定される第２の選択決定ステップと、
この第２の選択決定ステップで決定された文字段キーに対応する５個の文字キーが上記表示部に表示され、前記文字キーが上記１個のキーの押下毎に選択され、選択された文字キーが上記決定ボタンの押下により当該文字キーが決定される第３の選択決定ステップと、
この第３の選択決定ステップで決定された文字キーに対応する文字が上記表示部に表示入力されることを特徴とする携帯電話機の文字入力方法。
【請求項４】
従来の携帯電話機に設けられた決定ボタンとスクロールボタンと表示部とを有し、さらに従来の携帯電話機に設けられる１２個のハードキーに代わる前記ハードキーより大きさが大きい１個のキーを有する携帯電話機の文字入力方法であって、
英字を入力する際、全ての英字が１２個のグループに分けられて各グループに対応する１２個の英字グループキーが上記表示部に表示され、
この表示部に表示された１２個の英字グループキーに対する３個づつの第１、第２、第３、第４のグループの英字グループキーが上記１個のキー押下毎に選択され、選択されたグループの英字グループキーが上記決定ボタンの押下により決定される第１の選択決定ステップと、
この第１の選択決定ステップで決定された３個の英字グループキーを構成する各英字グループキーが上記１個のキー押下毎に選択され、選択された英字グループキーが上記決定ボタンの押下により決定される第２の選択決定ステップと、
この第２の選択決定ステップで決定された英字グループキーに対応する複数の英字キーが上記表示部に表示され、前記英字キーが上記１個のキーの押下毎に選択され、選択された英字キーが上記決定ボタンの押下により当該英字キーが決定される第３の選択決定ステップと、
この第３の選択決定ステップで決定された英字キーに対応する英字が上記表示部に表示入力されることを特徴とする携帯電話機の文字入力方法。
【発明の詳細な説明】
【技術分野】
【０００１】  この発明は、携帯電話機において文字入力する携帯電話機の文字入力方法に関する。
【背景技術】
【０００２】  従来、携帯電話機では、数字、かな文字、英字を設定し、入力モードを切り替えるモードキーを用いてモード変更し、数字入力モード、かな入力モード、英字入力モード等に切り替えて１２個のハードキーを用いて入力している。
このような携帯電話機では、指の大きさに比べて小さいキーを何回も押さなければならないので指の疲労が激しく、キーが小さいこともあって例えば高齢者も敬遠するものとなっている。
携帯電話機では特にハードキーの打鍵回数が多くなり入力操作性が悪いということでハードキー数を少なくして入力するキー入力方法が提案されている（例えば特許文献１）。
しかしながら、それでも複数のキーを操作しなければならないので煩わしさは解消されず操作性が悪いという課題があった。
【特許文献１】  特許公開２００５−４５００号公報
【発明の開示】
【発明が解決しようとする課題】
【０００３】  上記したように、従来の携帯電話機では１２個のハードキーが指の大きさに比べて小さい上、この複数の小さいハードキーを複数回打鍵しなければならないので操作性が悪いという課題があった。
この発明の目的は、従来の携帯電話機に設けられる１２個のハードキーに代わる１個のキーのみを用いて小ささを解消して操作性を向上させた携帯電話機の文字入力方法を提供することである。
【課題を解決するための手段】
【０００４】  本発明によれば、従来の携帯電話機に設けられる１２個のハードキーに代わる前記ハードキーより大きさが大きい１個のキーと表示部とを有する携帯電話機の文字入力方法であって、平仮名文字を入力する際、仮名五十音図の１０行５段の配列に対応した「あ」段から「わ」段までの文字段に対応する１２個の文字段キーが上記表示部に表示され、この表示部に表示された１２個の文字段キーに対する３個づつの第１、第２、第３、第４のグループの文字段キーが上記１個のキーの押下毎に選択され、選択されたグループが上記１個のキーがダブルクリックされることにより当該３個の文字段キーが決定される第１の選択決定ステップと、この第１の選択決定ステップで決定された３個の文字段キーに対する各文字段キーが上記１個のキーの押下毎に選択され、選択された文字段キーが上記１個のキーがダブルクリックされることにより決定される第２の選択決定ステップと、この第２の選択決定ステップで決定された文字段キーに対応する５個の文字キーが上記表示部に表示され、前記文字キーが上記１個のキーの押下毎に選択され、選択された文字キーが上記１個のキーがダブルクリックされることにより当該文字キーが決定される第３の選択決定ステップと、この第３の選択決定ステップで決定された文字キーに対応する文字が上記表示部に表示入力されることを特徴とする携帯電話機の文字入力方法が提供される。
【発明の効果】
【０００５】  本発明の携帯電話機の文字入力方法は、従来の携帯電話機のような１２個のハードキーを用いることなく、たった１個のキーを用いるだけで数字、漢字（ひらがな）、英字等の文字入力をすることが可能となる。
【発明を実施するための最良の形態】
【０００６】  以下、図面を参照して、この発明の実施の形態について詳細に説明する。
図１は、この発明の携帯電話機の文字入力方法に係る携帯電話機１０の外観構成を示すものである。すなわち、この携帯電話機１０は、詳しくは後述するが、従来の携帯電話機に設けられる１２個のハードキーに代わり１個だけの入力キー１が設けられている。また、ディスプレイ３が設けられ、このディスプレイ３は、液晶パネル、エレクトロルミネッセンス等の薄型表示部品で構成されている。【０００７】  本携帯電話機１０は、例えば本体の真ん中から２つ折りになった構成であり、従来の携帯電話機と同様に開始ボタン４、電源／終了ボタン５、決定ボタン６、スクロールボタン７とから構成されている。【０００８】  次に、このような構成において本発明に係る文字入力方法について説明する。
例えば、ディスプレイ３には、待ち受け画面の際、決定ボタン６が押下されることによりメニュー画面が表示される。メニュー画面からスクロールボタン７を操作することにより「文字入力選択」が選択され、決定ボタン６が押下されることにより「文字入力選択」が決定される。【０００９】  図２は、ディスプレイ３に表示されたメニュー画面例であり、スクロールボタン７の操作により「文字入力選択」が選択された状態を示している。【００１０】  図３は、決定ボタン６が押下されることにより「文字入力選択」が決定された際のディスプレイ３の表示を示すもので、ここでは「漢字（ひらがな）」が選択されている。ここで、決定ボタン６が押下されることにより「漢字（ひらがな）」が決定されたものとする。これで本携帯電話機１０は、漢字（ひらがな）の入力状態となる。【００１１】  図４の（ａ）は、ディスプレイ３に表示された漢字（ひらがな）の入力画面例である。ディスプレイ３には、従来のテンキーのように仮名五十音図の１０行５段の配列に対応した「あ」段から「わ」段の複数の文字段キーが表示される。すなわち、上段の左から「あ」、「か」、「さ」、次段に「た」、「な」、「は」、次々段に「ま」、「や」、「ら」、下段に「点、丸」、「わをん」、「記号」の各キーが表示される。【００１２】  この際、図４の（ａ）では、反転カーソルが、「あ」、「か」、「さ」キーに置かれている。ここで、入力キー１が１回押されると図４の（ｂ）に示すように、反転カーソルが、「た」、「な」、「は」キーに移動される。さらに、入力キー１が１回押されると図４の（ｃ）に示すように、反転カーソルが、「ま」、「や」、「ら」キーに移動される。さらに、入力キー１が１回押されると図４の（ｄ）に示すように、反転カーソルが、「点、丸」、「わをん」、「記号」キーに移動される。さらに、入力キー１が１回押されると反転カーソルが、「あ」、「か」、「さ」キーに戻される。【００１３】  そこで、以下では入力する文字を「お」にした場合で説明する。
まず、「お」の文字は、あ行にあるので図４の（ａ）の反転カーソルの状態で、入力キー１がダブルクリックされる。【００１４】  その結果、ディスプレイ３には図５の（ｅ）に示すように選択された「あ」、「か」、「さ」のキーのみが表示され、さらに「あ」に反転カーソルが置かれる。ここで、入力キー１が１回押されると図５の（ｆ）に示すように反転カーソルが「か」キーに移動され、もう一度入力キー１が１回押されると図５の（ｇ）に示すように反転カーソルが「さ」キーに移動され、さらに入力キー１が１回押されると図５の（ｅ）に示すように反転カーソルが「あ」キーに戻される。
そこで、「お」の文字は、あ行にあるので図５の（ｅ）の反転カーソルの状態で、入力キー１がダブルクリックされる。【００１５】  その結果、ディスプレイ３には図６の（ｈ）に示すようにあ行の「あ」、「い」、「う」、「え」、「お」のキーが表示され、さらに「あ」キーの文字に反転カーソルが置かれる。ここで、入力キー１が１回押されると図６の（ｉ）に示すように反転カーソルが「い」キーに移動され、もう一度入力キー１が１回押されると図６の（ｊ）に示すように反転カーソルが「う」キーに移動され、さらに入力キー１が１回押されると図６の（ｋ）に示すように反転カーソルが「え」キーに移動され、さらに入力キー１が１回押されると図６の（ｍ）に示すように反転カーソルが「お」キーに移動され、さらに入力キー１が１回押されると図６の（ｈ）に示すように反転カーソルが「あ」キーに戻される。
そこで、図６の（ｍ）に示す反転カーソルの状態で、入力キー１がダブルクリックされる。【００１６】  その結果、ディスプレイ３には図７に示すように「お」の文字が入力され、さらに従来のテンキーのように仮名五十音図の１０行５段の配列に対応した「あ」段から「わ」段の複数の文字段キーが再び表示される。その際、反転カーソルが、「あ」、「か」、「さ」キーに置かれている。
このような操作を繰り返すことにより、たった１個の入力キー１により漢字（ひらがな）入力が可能となる。なお、従来のように、ひらがな入力の際、変換候補を表示するようにしても良い。【００１７】  図８は、図３で示した「英字」が選択された際のディスプレイ３の表示例を示すものである。ディスプレイ３には、従来のテンキーのように、上段の左から「＠」、「ＡＢＣ」、「ＤＥＦ」、次段に「ＧＨＩ」、「ＪＫＬ」、「ＭＮＯ」、次々段に「ＰＱＲＳ」、「ＴＵＶ」、「ＷＸＹＺ」、下段に「＊」、「０」、「＃」の各キーが表示される。
この際、図８では、反転カーソルが、「＠」、「ＡＢＣ」、「ＤＥＦ」キーに置かれている。ここで、入力キー１が１回押されると図示しないが、反転カーソルが、「ＧＨＩ」、「ＪＫＬ」、「ＭＮＯ」キーに移動される。
あとは、上述したように入力キー１の「１回押し」と「ダブルクリック」を使い分けることにより英字が入力される。
なお、ここでは「英字」を例にしたが、他の外国語も英字に準じた構成により１個の入力キー１で文字入力が可能となる。【００１８】  また、ディスプレイ３の表示例では、選択された文字を残して他の文字を消していたが、文字段キーの色を変化させるようにしても良く、あるいは選択された文字段キーに囲いを設けて識別を助けるようにしても良い。
また、入力キー１は、ハードキーではなくパットキー、あるいはディスプレイ上に設けられた透明電極を押下することにより選択入力するようにしても良い。要は、ディスプレイ３上に表示された複数のキーが選択入力できれば良い。【００１９】  また、上記実施の形態では、入力キー１をダブルクリックして決定していたが、従来の携帯電話機のように決定ボタン６を押下するようにしても良い。この場合、１個のキーで文字入力できるとは言い難いが、ダブルクリックが苦手な場合、あるいは「１回押し」と「ダブルクリック」の違いがうまく出来ない場合には有効である。なお、携帯電話機のスペースに余裕があるので押し易いように決定ボタン６とスクロールボタン７を従来より大きいサイズにすると良い。【００２０】  以上説明したように上記発明の実施の形態によれば、携帯電話機において、たった１個のキーを用いるだけで数字、漢字（ひらがな）、英字を入力することが可能となり、操作性を向上させることができる。
なお、上記実施の形態における入力キー１は、「１回押し」と「ダブルクリック」を使い分けていたが、ダブルクリックの判定タイミングを調整できるようにしておくと使い勝ってが良くなる。【００２１】  また、入力キー１は、「１回押し」と「ダブルクリック」とを使い分けていたが、「１回押し」と「長押し」で使い分けても良い。この場合、長押し時間の設定ができるようにすると使い勝ってが良くなる。
また、入力キー１に圧力センサを設け、「１回押し」と「強押し」とで使い分けても良い。この場合、強押し圧力の閾値設定ができるようにすると使い勝ってが良くなる。
また、入力キー１を２段押しにして、浅い押しを「１回押し」とし、深い押しを「ダブルクリック相当として使い分けても良い。【００２２】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２３】
【図１】本発明の実施の形態が適用可能な携帯電話機の一例を示す外観図。
【図２】携帯電話機のディスプレイの表示例を示す図。
【図３】携帯電話機のディスプレイの表示例を示す図。
【図４】携帯電話機のディスプレイの表示例を示す図。
【図５】携帯電話機のディスプレイの表示例を示す図。
【図６】携帯電話機のディスプレイの表示例を示す図。
【図７】携帯電話機のディスプレイの表示例を示す図。
【図８】携帯電話機のディスプレイの表示例を示す図。
【符号の説明】
【００２４】  １…入力キー（選択手段、決定手段）、３…ディスプレイ（表示部）、４…開始ボタン、５…電源／終了ボタン、６…決定ボタン（決定手段）、７…スクロールボタン、１０…携帯電話機。
【図１】
2009032218.tif 000003
【図２】
2009032218.tif 000004
【図３】
2009032218.tif 000005
【図４】
2009032218.tif 000006
【図５】
2009032218.tif 000007
【図６】
2009032218.tif 000008
【図７】
2009032218.tif 000009
【図８】
2009032218.tif 000010